(57)【要約】【課題】新規なプログラムを提供する。または、新規な情報処理装置を提供する。【解決手段】所定のアプリケーションのウィンドウの可視領域を決定するステップと、可視領域に表示する画像データを画像処理してマスク表示領域を決定するステップと、マスク表示領域と重なるマスク画像を生成するステップと、マスク画像を最も手前に表示するステップと、を有する処理を演算装置に実行させる構成に想到した。【選択図】図２
2015129873.tif 000002
【特許請求の範囲】
【請求項１】
初期化する第１のステップと、
割り込み処理を許可する第２のステップと、
第１の画像を第１の表示領域に表示する第３のステップと、
終了命令が供給された場合は第５のステップに進み、前記終了命令が供給されなかった場合は第３のステップに進むように選択する第４のステップと、
終了する第５のステップと、を有し、
前記第１の画像は、マスク処理が行われた画像を有し、
前記第３のステップにおいて、前記第１の画像は最も手前に表示され、
前記割り込み処理は、
所定のイベントが供給された場合は第７のステップに進み、前記所定のイベントが供給されなかった場合は第９のステップに進むように選択する第６のステップと、
第２の表示領域から、第３の表示領域を差し引いて、第４の表示領域を決定する第７のステップと、
前記第４の表示領域から第５の表示領域を差し引いて、前記第１の表示領域を決定する第８のステップと、
前記第１の表示領域に表示される前記第１の画像を生成する第９のステップと、
前記割り込み処理から復帰する第１０のステップと、を有し、
前記第２の表示領域は、第１のアプリケーションがウィンドウを表示しようとする領域であり、
前記第３の表示領域は、第２のアプリケーションがウィンドウを表示しようとする領域であり、
前記第２のアプリケーションのウィンドウは、前記第１のアプリケーションのウィンドウよりも、手前に表示されており、
前記第４の表示領域は、前記第１のアプリケーションのウィンドウが表示される領域であり、
前記第５の表示領域は、前記第１のアプリケーションのウィンドウに表示される画像データに基づいて決定される領域であり、前記第１乃至第５のステップは、演算部において実行されるプログラム。
【請求項２】
前記第７のステップが、文書を表示するアプリケーションのウィンドウが使用する領域から、前記アプリケーションより手前に表示される他のアプリケーションのウィンドウが使用する領域を差し引いて、前記第４の表示領域を決定する、請求項１に記載のプログラム。
【請求項３】
前記第８のステップが、前記第４の表示領域から画像データの階調値が所定の閾値を超える領域を差し引いて、前記第１の表示領域を決定する、請求項１または請求項２に記載のプログラム。
【請求項４】
前記第９のステップが、テクスチャデータを用いて前記第１の表示領域と重なる前記第１の画像を生成する、請求項１乃至請求項３のいずれか一に記載のプログラム。
【請求項５】
前記第３のステップが、イベントを透過できる状態で、前記第１の画像を前記第１の表示領域に重なるように最も手前に表示する、請求項１乃至請求項４のいずれか一に記載のプログラム。
【請求項６】
前記第３のステップが、所定のイベントを供給される場合または動画を表示する場合に、他の場合に比べて高い頻度でリフレッシュして、前記第１の画像を前記第１の表示領域に最も手前に表示する、請求項１乃至請求項５のいずれか一に記載のプログラム。
【請求項７】
所定のイベントを供給する入力装置と、
前記イベントを供給され、一次画像信号および一次制御信号を供給する演算装置と、
前記一次画像信号および前記一次制御信号を供給され、前記一次画像信号を前記一次制御信号に基づく頻度で表示する表示装置と、を有し、
前記演算装置は、
前記イベントを供給される場合または動画を含む画像を表示する場合に、他の場合に比べて高い頻度でリフレッシュするための一次制御信号を供給するステップを含むプログラムを記憶する記憶部と、
前記プログラムを実行させる演算部と、を備える、情報処理装置。
【発明の詳細な説明】
【技術分野】
【０００１】
本発明は、物、方法、または、製造方法に関する。または、本発明は、プロセス、マシン、マニュファクチャ、または、組成物（コンポジション・オブ・マター）に関する。特に、本発明は、例えば、半導体装置、表示装置、発光装置、蓄電装置、それらの駆動方法、または、それらの製造方法に関する。特に、本発明は、例えばプログラムまたは情報処理装置に関する。
【背景技術】
【０００２】
静止画を表示部に表示する際に、リフレッシュレートを小さくすることにより、消費電力を低減する技術が知られている。
【先行技術文献】
【特許文献】
【０００３】
【特許文献１】特開２０１１−１８６４４９号公報
【発明の概要】
【発明が解決しようとする課題】
【０００４】
本発明の一態様は、新規なプログラムを提供することを課題の一とする。または、新規な情報処理装置を提供することを課題の一とする。または、表示の更新に伴うちらつきの発生を抑制することを課題の一とする。
【０００５】
なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【０００６】
本発明の一態様は、初期化する第１のステップと、割り込み処理を許可する第２のステップと、第１の画像（マスク画像ともいう）を第１の表示領域（マスク表示領域ともいう）に重なるように最も手前に表示する第３のステップと、終了命令が供給された場合は第５のステップに、それ以外は第３のステップに進む第４のステップと、終了する第５のステップと、を有する演算部に実行させるプログラムである。
【０００７】
そして、割り込み処理は、所定のイベントが供給された場合は第７のステップに進み、それ以外は第９のステップに進む第６のステップと、第２の表示領域（所定のアプリケーションのウィンドウが使用する領域ともいう）から、第３の表示領域（アプリケーションより手前に表示される他のアプリケーションのウィンドウが使用する領域ともいう）を差し引いて、第４の表示領域（アプリケーションの可視領域ともいう）を決定する第７のステップと、第４の表示領域（可視領域ともいう）から第５の表示領域（画像データに基づいて決定される領域ともいう）を差し引いて、第１の表示領域（マスク表示領域ともいう）を決定する第８のステップと、第１の表示領域（マスク表示領域ともいう）と重なる第１の画像（マスク画像ともいう）を生成する第９のステップと、割り込み処理から復帰する第１０のステップと、を備える。
【０００８】
また、本発明の一態様は、第７のステップが、文書を表示するアプリケーションのウィンドウが使用する領域から、アプリケーションより手前に表示される他のアプリケーションのウィンドウが使用する領域を差し引いて、第４の表示領域（アプリケーションの可視領域ともいう）を決定する、上記のプログラムである。
【０００９】
また、本発明の一態様は、第８のステップが、第４の表示領域（可視領域ともいう）から画像データの階調値が所定の閾値を超える領域を差し引いて、第１の表示領域（マスク表示領域ともいう）を決定する、上記のプログラムである。
【００１０】
また、本発明の一態様は、第９のステップが、テクスチャデータを用いて第１の表示領域（マスク表示領域ともいう）と重なる第１の画像（マスク画像ともいう）を生成する、上記のプログラムである。
【００１１】
また、本発明の一態様は、第３のステップが、イベントを透過できる状態で、第１の画像（マスク画像ともいう）を第１の画像表示領域（マスク表示領域ともいう）に重なるように最も手前に表示する、上記のプログラムである。
【００１２】
上記本発明の一態様のプログラムは、所定のアプリケーションのウィンドウの可視領域を決定する第１のステップと、可視領域に表示する画像データを画像処理してマスク表示領域を決定する第２のステップと、マスク表示領域と重なるマスク画像を生成する第３のステップと、マスク画像を最も手前に表示する第４のステップと、を有する処理を演算装置に実行させる。
【００１３】
これにより、所定のアプリケーションの、例えば文書表示領域に、例えば紙の模様を具備するテクスチャ画像を、重ねて表示することができる。その結果、新規なプログラムを提供することができる。
【００１４】
また、本発明の一態様は、第３のステップが、所定のイベントを供給される場合または動画を表示する場合に、他の場合に比べて高い頻度でリフレッシュして、第１の画像（マスク画像ともいう）を第１の表示領域（マスク表示領域ともいう）に重なるように最も手前に表示する、上記のいずれか一に記載のプログラムである。
【００１５】
上記本発明の一態様のプログラムは、動画像を表示する可視領域の有無または供給されるイベントの種類に応じて、異なる頻度で表示を更新するステップを含んで構成される。これにより、表示の更新に伴うちらつきの発生を抑制することができる。その結果、新規なプログラムを提供することができる。
【００１６】
また、本発明の一態様は、所定のイベントを供給する入力装置と、イベントを供給され、一次画像信号および一次制御信号を供給する演算装置と、一次画像信号および一次制御信号を供給され、一次画像信号を一次制御信号に基づく頻度で表示する表示装置と、を有する情報処理装置である。
【００１７】
そして、演算装置は、イベントを供給される場合または動画を表示する場合に、他の場合に比べて高い頻度でリフレッシュするための一次制御信号を供給するステップを含むプログラムを記憶する記憶部と、プログラムを実行させる演算部と、を備える。
【００１８】
上記本発明の一態様の情報処理装置は、動画像を表示する可視領域の有無または供給されるイベントの種類に応じて、表示を異なる頻度で更新する演算装置と、表示が更新される表示装置とで構成される。これにより、表示の更新に伴うちらつきの発生を抑制することができる。その結果、新規なプログラムを提供することができる。
【発明の効果】
【００１９】
本発明の一態様によれば、新規なプログラムを提供できる。または、新規な情報処理装置を提供できる。または、表示の更新に伴うちらつきの発生を抑制することができる。なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００２０】
【図１】実施の形態に係るプログラムの構成を説明するフロー図。
【図２】実施の形態に係るプログラムに従って演算装置が処理を実行した結果、情報処理装置に表示される画像を説明する模式図。
【図３】実施の形態に係るプログラムに従って演算装置が処理を実行した結果、決定される領域を説明する模式図。
【図４】実施の形態に係るプログラムに従って演算装置が処理を実行した結果、生成されるマスク画像を説明する模式図。
【図５】実施の形態に係る情報処理装置の構成を説明するブロック図。
【図６】実施の形態に係る情報処理装置の表示部の構成を説明するブロック図。
【図７】実施の形態に係る情報処理装置の表示部に用いることができるトランジスタの構成を説明する図。
【図８】実施の形態に係る電子機器の外観を説明する図。
【発明を実施するための形態】
【００２１】
本発明の一態様のプログラムは、所定のアプリケーションのウィンドウの可視領域を決定するステップと、可視領域に表示する画像データを画像処理してマスク表示領域を決定するステップと、マスク表示領域と重なるマスク画像を生成するステップと、マスク画像を最も手前に表示するステップと、を有する処理を演算装置に実行させる。
【００２２】
これにより、所定のアプリケーションの、例えば文書表示領域に、例えば紙の模様を具備するテクスチャ画像を、重ねて表示することができる。その結果、新規なプログラムを提供することができる。または、新規な情報処理装置を提供できる。
【００２３】
実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００２４】
（実施の形態１）
本実施の形態では、本発明の一態様のプログラムの構成について、図１乃至図４を参照しながら説明する。
【００２５】
図１は本発明の一態様のプログラムの構成を説明するフロー図である。
【００２６】
図２は情報処理装置に表示する画像データを説明する模式図である。図２（Ｂ）は、図２（Ａ）に示す画像データについて本発明の一態様のプログラムの処理を演算装置に実行させて生成された、マスク画像データと画像データとを重ねあわせた結果を説明する模式図である。
【００２７】
図３は演算装置に決定される領域を説明する模式図である。図３（Ａ）は、図２（Ａ）に示す画像データについて本発明の一態様のプログラムの処理を演算装置に実行させて決定された、可視領域を説明する模式図である。図３（Ｂ）は、図３（Ａ）に示す可視領域にある画像データについて本発明の一態様のプログラムの処理を演算装置に実行させ決定された、階調値が所定の閾値を超える領域を説明する模式図である。
【００２８】
図４は演算装置に決定されるマスク画像データを説明する模式図である。図４は、図２（Ａ）に示す画像データについて本発明の一態様のプログラムの処理を演算装置に実行させて生成された、マスク画像データを説明する模式図である。
【００２９】
＜プログラムの構成例１．＞
本実施の形態で説明するプログラムは、以下の第１のステップ乃至第１０のステップを有する処理を演算装置に実行させる。
【００３０】
第１のステップにおいて、初期化する（図１（Ａ）（Ｓ１））。
【００３１】
第２のステップにおいて、割り込み処理を許可する（Ｓ２）。
【００３２】
第３のステップにおいて、マスク画像をマスク表示領域に重なるように最も手前に表示する（Ｓ３）。
【００３３】
第４のステップにおいて、終了命令が供給された場合は第５のステップに、それ以外は第３のステップに進む（Ｓ４）。
【００３４】
第５のステップにおいて、終了する（Ｓ５）。
【００３５】
割り込み処理は以下の第６のステップ乃至第１０のステップを備える。
【００３６】
第６のステップにおいて、所定のイベントが供給された場合は第７のステップに進み、それ以外は第９のステップに進む（図１（Ｂ）（Ｔ６））。
【００３７】
第７のステップにおいて、所定のアプリケーションのウィンドウが使用する領域から、アプリケーションより手前に表示される他のアプリケーションのウィンドウが使用する領域を差し引いて、アプリケーションの可視領域を決定する（Ｔ７）。
【００３８】
第８のステップにおいて、可視領域から画像データに基づいて決定される領域を差し引いて、マスク表示領域を決定する（Ｔ８）。
【００３９】
第９のステップにおいて、マスク表示領域と重なるマスク画像を生成する（Ｔ９）。
【００４０】
第１０のステップにおいて、割り込み処理から復帰する（Ｔ１０）。
【００４１】
上記のプログラムは、所定のアプリケーションのウィンドウの可視領域を決定するステップ（Ｔ６）と、可視領域に表示する画像データを画像処理してマスク表示領域を決定するステップ（Ｔ７）と、マスク表示領域と重なるマスク画像を生成するステップ（Ｔ９）と、マスク画像を最も手前に表示するステップ（Ｓ４）と、を有する処理を演算装置に実行させる。
【００４２】
これにより、所定のアプリケーションの、例えば文書表示領域に、例えば紙の模様を具備するテクスチャ画像を、重ねて表示することができる。その結果、新規なプログラムを提供することができる。
【００４３】
《全体の構成》
例示するプログラムは、第１のステップ乃至第１０のステップを有する（図１参照）。主の処理は第１のステップ乃至第５のステップを含み、割り込み処理は第６のステップ乃至第１０のステップを含む。
【００４４】
《第１のステップ》
主の処理について説明する。第１のステップにおいて、演算装置に初期化をさせる。例えば、カウンタの値を所定の値に、マスク画像を所定の画像におよび／またはマスク表示領域を所定の領域に設定しまたは操作の用に供する画像を表示してもよい（図１（Ｓ１）参照）。具体的には、カウンタの値を０に設定することができる。
【００４５】
《第２のステップ》
第２のステップにおいて、演算装置に割り込み処理を許可する。割り込み処理が許可された演算装置は、主の処理と並行して割り込み処理を行うことができる（図１（Ｓ２）参照）。
【００４６】
割り込み処理から主の処理に復帰した演算装置は、割り込み処理をして得た結果を、主の処理に反映することができる。
【００４７】
なお、カウンタの値が初期値であるとき、演算装置に割り込み処理をさせ、割り込み処理から復帰させる際にカウンタの値を初期値以外の値としてもよい。これにより、プログラムを起動した後に割り込み処理をさせることができる。
【００４８】
《第３のステップ》
第３のステップにおいて、マスク画像をマスク表示領域に重なるように最も手前に表示する処理を演算装置に実行させる（図１（Ｓ３）参照）。これにより、マスク画像の背後に配置される画像に換えてマスク画像を表示できる。または、マスク画像の背後に配置される画像とマスク画像を混合または合成して表示できる。例えば、二つの画像のアンド論理積またはマルチプライ論理積を得る処理もしくはアルファブレンド処理を施して生成した画像を表示できる。
【００４９】
例えば、初期値化をした際に読み込ませた所定のマスク画像データを所定の領域に、または割り込み処理で生成されたマスク画像データを割り込み処理で決定されたマスク表示領域に、表示することができる。なお、マスク画像データを取得または生成する処理をマスク処理という。
【００５０】
具体的には、紙の模様および色を模したテクスチャデータ等を含む画像をマスク画像に用いることができる。また、無地の背景に文字が配置された画像、言い換えると文書を表示する画像をマスク画像の背後に配置される画像に用いることができる。また、紙の模様および色と文書の画像を合成して表示することができる。その結果、紙に記されたように見える文書を情報処理装置の表示部に表示することができる。
【００５１】
また、イベントを透過できる状態で、マスク画像をマスク表示領域に重なるように最も手前に表示する処理を演算装置に実行させることができる。これにより、マスク画像の背後に配置されたアプリケーションの操作を妨げることなく、マスク画像を最も手前に表示することができる。なお、操作命令に含まれる座標情報に基づいて操作命令を関連付ける対象から除外された画像の状態を、イベントを透過できる画像の状態という。具体的には、操作命令が最も手前に表示されたアプリケーションに関連付けられることなく、手前から二番目に配置されたアプリケーションに関連付けられ、手前から二番目に配置されたアプリケーションにイベントを供給できる。
【００５２】
《第４のステップ》
第４のステップにおいて、終了命令が供給された場合は第５のステップに、それ以外は第３のステップに進む（図１（Ｓ４）参照）。なお、割り込み処理中に終了命令を受けつけて、割り込み処理から復帰した際にプログラムを終了してもよい。
【００５３】
《第５のステップ》
第５のステップにおいて、演算装置にプログラムを終了させる（図１（Ｓ５）参照）。なお、プログラムと共にマスク画像の表示を終了する。
【００５４】
《第６のステップ》
割り込み処理について説明する。第６のステップにおいて、所定のイベントが供給された場合は第７のステップに進み、それ以外は第１０のステップに進む（図１（Ｔ６）参照）。所定の属性を備える画像データに変化が生じるイベントを所定のイベントとすることができる。
【００５５】
例えば、ウィンドウシステムを採用するグラフィカルユーザーインターフェース（ＧＵＩ：Ｇｒａｐｈｉｃａｌ  Ｕｓｅｒ  Ｉｎｔｅｒｆａｃｅ）において、所定の属性を備えるアプリケーションソフトウエアが使用するウィンドウについて行うイベント等を所定のイベントとすることができる。
【００５６】
具体的にはウィンドウを新たに生成または消去するイベント、ウィンドウを移動するイベントまたはウィンドウの大きさを変えるイベント等を所定のイベントとすることができる。または、画像をスクロールするイベント等を所定のイベントとすることができる。
【００５７】
なお、文字を含む文書等を表示するアプリケーションソフトウエアを、所定のアプリケーションソフトウエアに指定することができる。具体的にはワードプロセッサ、表計算ソフトウエア、文書閲覧用ソフトウエア、電子書籍閲覧用ソフトウエア、ウェブブラウザまたはメールクライアント等を所定のアプリケーションに指定することができる。
【００５８】
《第７のステップ》
第７のステップにおいて、演算装置に所定のアプリケーションの可視領域を決定させる（図１（Ｔ７）参照）。例えば、文書を表示するアプリケーションのウィンドウＷ１、ウィンドウＷ２およびウィンドウＷ５が使用する領域から、当該アプリケーションより手前に表示される他のアプリケーションのウィンドウが使用する領域を差し引いて、文書を表示するアプリケーションの可視領域ＶＩＳ１、可視領域ＶＩＳ２および可視領域ＶＩＳ５を決定する処理を演算装置に実行させる。
【００５９】
なお、本実施の形態では、文字を含む文書等を表示するアプリケーションソフトウエアが所定のアプリケーションソフトウエア、具体的にはワードプロセッサ、表計算ソフトウエア、文書閲覧用ソフトウエア、電子書籍閲覧用ソフトウエア、ウェブブラウザまたはメールクライアント等が指定されている場合を例に説明する。また、各ウィンドウを使用するアプリケーションは、各ウィンドウの配置および大きさに関する情報を供給する。
【００６０】
情報処理装置に表示する画像データの一例を図２（Ａ）に示す。
【００６１】
画像データはウィンドウＷ１乃至ウィンドウＷ５の５つのウィンドウを含む。なお、ウィンドウＷ１乃至ウィンドウＷ５は手前側から奥側に向かって順番に重ねられ、奥側のウィンドウは手前側のウィンドウの表示に隠される。具体的には、ウィンドウＷ２乃至ウィンドウＷ５はウィンドウＷ１より奥側に配置され、ウィンドウＷ２乃至ウィンドウＷ５の一部はウィンドウＷ１に隠される。
【００６２】
ウィンドウＷ１はワードプロセッサに利用され、文字列および挿図ＩＭＧ１１が表示されている。
【００６３】
ウィンドウＷ２はウェブブラウザに利用され、文字列、挿図ＩＭＧ２１および挿図ＩＭＧ２２が表示されている。
【００６４】
ウィンドウＷ３は写真表示ソフトウエアに利用されている。
【００６５】
ウィンドウＷ４は動画閲覧ソフトウエアに利用され、動画像が表示されている。
【００６６】
ウィンドウＷ５は電子メールクライアントに利用され、文字列が表示されている。
【００６７】
従って、ウィンドウＷ１、ウィンドウＷ２およびウィンドウＷ５が所定のアプリケーションに利用さる。なお、前述のとおり、ウィンドウＷ１がウィンドウＷ２乃至ウィンドウＷ５の一部に重なるように配置されている。
【００６８】
これにより、ウィンドウＷ１が使用する可視領域ＶＩＳ１、ウィンドウＷ２が使用する領域からウィンドウＷ１が使用する領域を差し引いた可視領域ＶＩＳ２およびウィンドウＷ５が使用する領域からウィンドウＷ１が使用する領域を差し引いた可視領域ＶＩＳ５が、所定のアプリケーションの可視領域に決定される（図３（Ａ）参照）。
【００６９】
なお、手前側に配置されるウィンドウが使用する領域を奥側に配置されるウィンドウが使用する領域から差し引く際に、手前側に配置されるウィンドウの全体を差し引いてもよい。
【００７０】
または、ウィンドウがコンテンツ部分とコンテンツ部分を囲むフレーム部分を含む場合、手前側に配置されるコンテンツ部分を奥側に配置されるコンテンツ部分から差し引いて、奥側に配置されたウィンドウの領域としてもよい。
【００７１】
または、手前側に配置されるフレーム部分を含むウィンドウの領域を奥側に配置されるコンテンツ部分から差し引いて、奥側に配置されたウィンドウの領域としてもよい（図３（Ａ）参照）。
【００７２】
各ウィンドウを使用するアプリケーションが供給する各ウィンドウの配置および大きさに関する情報を用いて、演算装置に所定のアプリケーションの可視領域を決定させることができる。
【００７３】
《第８のステップ》
第８のステップにおいて、演算装置にマスク表示領域を決定させる（図１（Ｔ８）参照）。例えば、可視領域から画像データの階調値が所定の閾値を超える領域を差し引いて、マスク表示領域を決定させる処理を演算装置に実行させる。
【００７４】
本実施の形態では、画像データに含まれる挿図の配置を画像データに基づいて特定し、特定された挿図を可視領域から差し引いてマスク表示領域を決定する。
【００７５】
具体的には、取得した画像データを画像処理して輪郭を検出し、挿図が表示される領域を決定する。これにより、挿図ＩＭＧ１１、挿図ＩＭＧ２１および挿図ＩＭＧ２２が表示される領域を決定することができる。
【００７６】
挿図ＩＭＧ１１が表示される領域を可視領域ＶＩＳ１から差し引いてマスク表示領域ＭＡＳＫ１を決定し、挿図ＩＭＧ２１および挿図ＩＭＧ２２が表示される領域を可視領域ＶＩＳ２から差し引いてマスク表示領域ＭＡＳＫ２を決定し、可視領域ＶＩＳ５をマスク表示領域ＭＡＳＫ５に決定する（図３および図４参照）。そして、マスク表示領域を、マスク表示領域ＭＡＳＫ１、マスク表示領域ＭＡＳＫ２およびマスク表示領域ＭＡＳＫ５を含む領域とする。
【００７７】
《第９のステップ》
第９のステップにおいて、マスク画像を生成する（図１（Ｔ９）参照）。例えば、テクスチャデータを用いてマスク表示領域ＭＡＳＫ１、ＭＡＳＫ２およびＭＡＳＫ５と重なるマスク画像を生成する処理を演算装置に実行させる。
【００７８】
マスク画像は、マスク表示領域と重なる形状を有する。特に、マスク表示領域の形状と同じであると好ましい。マスク画像は、模様、色またはこれらの結合の画像とすることができる。具体的には、紙の模様および色を模したテクスチャデータ等を用いてマスク表示領域と同じ形状を有する画像を生成すればよい。
【００７９】
《第１０のステップ》
第１０のステップにおいて、割り込み処理から復帰する（図１（Ｔ１０）参照）。
【００８０】
なお、本実施の形態は、本明細書で示す他の実施の形態と適宜組み合わせることができる。
【００８１】
（実施の形態２）
本実施の形態では、本発明の一態様の情報処理装置の構成について、図５および図６を参照しながら説明する。
【００８２】
図５は、本発明の一態様の情報処理装置５０の構成を説明するブロック図である。
【００８３】
図６は、本発明の一態様の表示部３２の構成を説明するブロック図である。図６（Ａ−１）および図６（Ａ−２）は、表示部３２の画素と駆動回路の配置を説明するブロック図である。図６（Ｂ−１）および図６（Ｂ−２）は、画素に用いることができる画素回路を説明する回路図である。
【００８４】
＜情報処理装置の構成例１．＞
本実施の形態で説明する情報処理装置５０は、所定の操作命令（イベントともいう）を供給する入力装置２２と、イベントを供給され、一次画像信号Ｖ１および一次制御信号Ｃ１を供給する演算装置１０と、一次画像信号Ｖ１および一次制御信号Ｃ１を供給され、一次画像信号Ｖ１を一次制御信号Ｃ１に基づく頻度で表示する表示装置３０と、を有する（図５参照）。
【００８５】
そして、演算装置１０は、イベントを供給される場合または動画を表示するアプリケーションの可視領域を含む画像を表示する場合に、他の場合に比べて高い頻度でリフレッシュするための一次制御信号Ｃ１を供給するステップを含むプログラムを記憶する記憶部１２と、プログラムを実行させる演算部１１と、を備える。
【００８６】
上記本発明の一態様の情報処理装置は、動画像を表示する可視領域の有無または供給されるイベントの種類に応じて、表示を異なる頻度で更新する演算装置と、表示が更新される表示装置とで構成される。これにより、表示の更新に伴うちらつきの発生を抑制することができる。その結果、新規なプログラムを提供することができる。
【００８７】
なお、演算装置１０は、伝送路１４および入出力インターフェース１５を備えていてもよい。
【００８８】
入出力装置２０は、表示装置３０および入力装置２２を備えていてもよい。
【００８９】
表示装置３０は、制御部３１および表示部３２を備えていてもよい。
【００９０】
表示部３２は、画素部３２Ｄ、Ｇ駆動回路３２ＧＤ、Ｓ駆動回路３２ＳＤおよび光供給部３２Ｌを備えていてもよい。
【００９１】
画素部３２Ｄは画素３２Ｐを備え、画素３２Ｐは画素回路３２ＰＣを備え、画素回路３２ＰＣは表示素子３２ＤＶを備えていてもよい。
【００９２】
以下に、情報処理装置５０を構成する個々の要素について説明する。なお、これらの構成は明確に分離できず、一つの構成が他の構成を兼ねる場合や他の構成の一部を含む場合がある。
【００９３】
例えばタッチセンサが表示パネルに重ねられたタッチパネルは、タッチセンサであるとともに表示パネルでもある。
【００９４】
《全体の構成》
情報処理装置５０は、操作命令が供給され、一次制御信号Ｃ１および一次画像信号Ｖ１を供給する演算装置１０と、操作命令を供給し、一次制御信号Ｃ１および一次画像信号Ｖ１が供給される入出力装置２０と、を有する。そして、入出力装置２０は、操作命令を供給する入力装置２２と、一次制御信号Ｃ１および一次画像信号Ｖ１を供給される表示装置３０と、を備える（図５参照）。
【００９５】
表示装置３０は、一次制御信号Ｃ１および一次画像信号Ｖ１を供給され、二次制御信号Ｃ２および二次画像信号Ｖ２を供給する制御部３１と、二次制御信号Ｃ２および二次画像信号Ｖ２を供給される表示部３２と、を備える。
【００９６】
表示部３２は、二次制御信号Ｃ２を供給されＧ信号を供給するＧ駆動回路３２ＧＤと、二次画像信号Ｖ２を供給されＳ信号を供給するＳ駆動回路３２ＳＤと、画素部３２Ｄと、を備える。
【００９７】
なお、表示部３２は制御信号を供給される光供給部３２Ｌを備えていてもよい。制御部３１は光供給部３２Ｌを制御することができる信号を供給してもよい。
【００９８】
なお、入力装置２２および表示装置３０を含む入出力装置２０並びに演算装置１０は、電源電位等を供給される。
【００９９】
《１．演算装置１０》
演算装置１０は、演算部１１、記憶部１２、入出力インターフェース１５および伝送路１４を備える（図５参照）。
【０１００】
演算装置１０は、操作命令が供給され、一次制御信号Ｃ１および一次画像信号Ｖ１を供給する。
【０１０１】
例えば、演算装置１０は、情報処理装置５０の操作の用に供する画像情報を含む一次画像信号Ｖ１を供給し、入出力装置２０は一次画像信号Ｖ１を供給される。そして、表示装置３０は操作の用に供する画像を表示する。
【０１０２】
《１．１演算部１１》
演算部１１は、記憶部１２が記憶するプログラムを実行する。例えば、実施の形態１に記載して説明されるプログラムを実行する。
【０１０３】
また、実施の形態１に記載して説明されるプログラムの第３のステップを次のように変形することができる。
【０１０４】
第３のステップにおいて、所定の操作命令（イベントともいう）を供給される場合または動画を表示するアプリケーションの可視領域を含む画像を表示する場合に、他の場合に比べて高い頻度でリフレッシュして、マスク画像をマスク表示領域に重なるように最も手前に表示する。
【０１０５】
上記のプログラムは、動画像を表示する可視領域の有無または供給されるイベントの種類に応じて、異なる頻度で表示を更新するステップを含んで構成される。これにより、表示の更新に伴うちらつきの発生を抑制することができる。その結果、新規なプログラムを提供することができる。
【０１０６】
《１．２記憶部１２》
記憶部１２は、演算部１１に実行させるプログラムを記憶する。なお、実施の形態１に記載して説明するプログラムを、演算部１１に処理させるプログラムに適用できる。
【０１０７】
《１．３入出力インターフェース１５・伝送路１４》
入出力インターフェース１５は情報を供給し、情報が供給される。
【０１０８】
伝送路１４は情報を供給し、情報が供給される。演算部１１、記憶部１２および入出力インターフェース１５は情報を供給される。また、演算部１１、記憶部１２および入出力インターフェース１５は、情報を供給することができ、伝送路１４は情報を供給される。
【０１０９】
《２．入出力装置２０》
入出力装置２０は、例えば操作命令等を供給し、一次画像信号Ｖ１または一次制御信号Ｃ１等が供給される。操作命令等を供給する入力装置２２および一次画像信号Ｖ１または一次制御信号Ｃ１等が供給される表示装置３０を入出力装置２０に適用できる。
【０１１０】
《２．１入力装置２２》
入力装置２２は、所定の操作命令（イベントともいう）を供給できる。所定の属性を備える画像データに変化を生じる操作命令を、所定の操作命令にすることができる。
【０１１１】
例えば、ウィンドウシステムを採用するグラフィカルユーザーインターフェース（ＧＵＩ：Ｇｒａｐｈｉｃａｌ  Ｕｓｅｒ  Ｉｎｔｅｒｆａｃｅ）において、所定の属性を備えるアプリケーションソフトウエアが使用するウィンドウについて行うイベント等を所定のイベントとすることができる。
【０１１２】
具体的にはウィンドウを新たに生成または消去するイベント、ウィンドウを移動するイベントまたはウィンドウの大きさを変えるイベント等を所定のイベントとすることができる。または、画像をスクロールするイベント等を所定のイベントとすることができる。
【０１１３】
なお、文字を含む文書等を表示するアプリケーションソフトウエアを、所定のアプリケーションソフトウエアに指定することができる。具体的にはワードプロセッサ、表計算ソフトウエア、文書閲覧用ソフトウエア、電子書籍閲覧用ソフトウエア、ウェブブラウザまたはメールクライアント等を所定のアプリケーションに指定することができる。
【０１１４】
入力装置２２は、操作命令を供給することができる。例えば、キーボード、マウス、タッチパネル、タッチパッド、マウス、ジョイスティック、トラックボール、データグローブ、ジェスチャや視点動作などを検出するセンサまたは撮像装置などを入力装置２２に用いることができる。なお、グラフィカルユーザーインターフェースを用いる場合、操作命令は操作命令を関連付ける画像が表示された表示部の座標情報を含む。
【０１１５】
演算装置１０は、操作命令に含まれる座標情報に基づいて、操作命令を表示部の座標に表示された画像情報に関連づける。これにより、例えば情報処理装置を使用する者は、表示部に表示された複数の画像情報から一を選んで処理するための操作命令を供給することができる。
【０１１６】
使用する者が入力装置２２から供給する情報としては、例えば表示部に表示される画像の表示位置を変えるためにドラッグする命令、表示されている画像を送り次の画像を表示するためにスワイプする命令、帯状の画像を順に送るためにスクロールする命令、特定の画像を選択する命令、画像を表示する大きさを変化するためにピンチ・イン、ピンチ・アウトする命令の他、手書きによる文字を供給する命令などを挙げることができる。
【０１１７】
《２．２表示装置３０》
表示装置３０は、一次制御信号Ｃ１および一次画像信号Ｖ１に基づいて、画像を表示部３２に表示する。
【０１１８】
一次画像信号Ｖ１は、画像の階調情報（輝度情報ともいえる）の他、例えば色度情報等を含む。
【０１１９】
一次制御信号Ｃ１は、例えば表示装置３０の走査線の選択を開始するタイミング等を制御するための信号などを含む。
【０１２０】
《２．２．１制御部３１》
制御部３１は、表示部３２を制御する信号、例えば二次画像信号Ｖ２および／または二次制御信号Ｃ２等を生成し、を供給する。
【０１２１】
《２．２．１．１二次画像信号》
制御部３１は一次画像信号Ｖ１を供給され、二次画像信号Ｖ２を生成する。二次画像信号Ｖ２は画像情報を含む。
【０１２２】
例えば、制御部３１は一次画像信号Ｖ１の基準電位Ｖｓｃからの差を振幅とし、極性がフレーム毎に反転される二次画像信号Ｖ２を生成してもよい。
【０１２３】
《２．２．１．２二次制御信号》
二次制御信号Ｃ２は、表示部３２の第１の駆動回路（Ｇ駆動回路３２ＧＤともいう）を制御するための信号および／または第２の駆動回路（Ｓ駆動回路３２ＳＤともいう）を制御するための信号を含むことができる。
【０１２４】
例えば、二次制御信号Ｃ２は、垂直同期信号および／または水平同期信号などの同期信号を含むことができる。また、二次制御信号Ｃ２は、スタートパルス信号ＳＰ、ラッチ信号ＬＰ、パルス幅制御信号ＰＷＣおよびクロック信号ＣＫなどを含むことができる。
【０１２５】
具体的には、Ｓ駆動回路３２ＳＤの動作を制御するＳ駆動回路用のスタートパルス信号ＳＰ、Ｓ駆動回路用のクロック信号ＣＫ、ラッチ信号ＬＰなどを二次制御信号Ｃ２は含むことができる。
【０１２６】
また、Ｇ駆動回路３２ＧＤの動作を制御するＧ駆動回路用のスタートパルス信号ＳＰ、Ｇ駆動回路用のクロック信号ＣＫ、パルス幅制御信号ＰＷＣなどを二次制御信号Ｃ２は含むことができる。
【０１２７】
《２．２．１．３画像信号の極性》
制御部３１が、画像信号の極性をフレーム毎に反転する極性決定回路を備える構成としてもよい。
【０１２８】
例えば、極性決定回路が通知するタイミングに従って制御部３１が二次画像信号Ｖ２の極性を反転し、極性が反転された二次画像信号Ｖ２を供給してもよい。
【０１２９】
なお、制御部３１からの命令に従って表示部３２が二次画像信号Ｖ２の極性を反転してもよい。
【０１３０】
また、極性決定回路がカウンタおよび信号生成回路を具備し、カウンタが数える同期信号に基づいて信号生成回路がタイミングを通知してもよい。
【０１３１】
例えば、カウンタはフレーム期間の数を水平同期信号のパルスを数えて特定し、信号生成回路がタイミングを通知する。これにより、連続する複数のフレーム期間ごとに二次画像信号Ｖ２の極性を反転することができる。
【０１３２】
《２．２．２表示部３２》
表示部３２は、画素部３２Ｄを有する。また、第１の駆動回路（Ｇ駆動回路３２ＧＤともいう）並びに第２の駆動回路（Ｓ駆動回路３２ＳＤともいう）を有していてもよい。
【０１３３】
列方向に延在する複数の走査線Ｇ、行方向に延在する複数の信号線Ｓおよび走査線Ｇの一と電気的に接続され且つ信号線Ｓの一と電気的に接続される画素３２Ｐが画素部３２Ｄに配設されている。そして、複数の画素３２Ｐは行列状に配置されている。
【０１３４】
なお、画素部３２Ｄに配設される配線の種類及び数は、画素３２Ｐの数、構成および配置に基づいて決定される。
【０１３５】
例えば、画素３２Ｐをｘ列×ｙ行のマトリクス状に画素部３２Ｄに配置する場合、信号線Ｓ１乃至信号線Ｓｘ並びに走査線Ｇ１乃至走査線Ｇｙを、画素部３２Ｄ内に配置する（図６（Ａ−１）参照）。
【０１３６】
一の走査線（Ｇ１乃至Ｇｙ）はＧ駆動回路３２ＧＤに選択されている期間Ｇ信号を供給することができ、一の信号線（Ｓ１乃至Ｓｘ）はＳ駆動回路３２ＳＤに選択されている期間Ｓ信号を供給することができる。
【０１３７】
また、画素部３２Ｄを複数の領域に分割して駆動してもよい。例えば、第１領域３２Ｄａ、第２領域３２Ｄｂおよび第３領域３２Ｄｃに分割して駆動する構成を図６（Ａ−２）に示す。
【０１３８】
《２．２．２．１Ｇ駆動回路３２ＧＤ》
Ｇ駆動回路３２ＧＤは、複数の走査線から一の走査線を順番に選択し、選択した走査線にＧ信号を供給する。なお、Ｇ信号は第１の駆動信号ともいう。
【０１３９】
なお、選択された走査線は、その走査線に電気的に接続された画素３２ＰにＧ信号を供給する。これにより、画素３２Ｐにある画素回路３２ＰＣはＧ信号を供給される。
【０１４０】
Ｇ駆動回路３２ＧＤは、一の走査線を選択しＧ信号を供給する頻度を切り替えて動作することができる。例えば、Ｇ駆動回路３２ＧＤはＧ信号を所定の頻度で供給する第１のモードと、第１のモードより高い頻度で供給する第２のモードとで動作する。
【０１４１】
具体的には、第１のモードで動作するＧ駆動回路３２ＧＤは、３０Ｈｚ（１秒間に３０回）以上、好ましくは６０Ｈｚ（１秒間に６０回）以上９６０Ｈｚ（１秒間に９６０回）未満の頻度で一の走査線を選択しＧ信号を供給する。
【０１４２】
第２のモードで動作するＧ駆動回路３２ＧＤは、１１．６μＨｚ（１日に１回）以上０．１Ｈｚ（１秒間に０．１回）未満の頻度、好ましくは０．２８ｍＨｚ（１時間に１回）以上１Ｈｚ（１秒間に１回）未満の頻度で一の走査線を選択しＧ信号を供給する。
【０１４３】
Ｇ駆動回路３２ＧＤが、第１のモードと第２のモードとを切り替えて動作する方法としては、例えば、モード切り替え信号を含む二次制御信号Ｃ２を用いる方法、または二次制御信号Ｃ２に含まれるＧ駆動回路用のスタートパルスを用いる方法が挙げられる。いずれの方法を用いても、Ｇ駆動回路３２ＧＤの動作を第１のモードから第２のモードに切り替えることができる。
【０１４４】
具体的には、制御部３１を用いて二次制御信号Ｃ２に含まれるＧ駆動回路用のスタートパルスを供給する頻度を制御することができる。
【０１４５】
なお、画素部３２Ｄが複数の領域に分けられ、各領域にＧ駆動回路が設けられている場合、それぞれのＧ駆動回路を異なるモードで動作してもよい（図６（Ａ−２）参照）。
【０１４６】
例えば、第１の領域に設けられたＧ駆動回路を第１のモードで動作して、動画像を第１の領域に表示し、第２の領域に設けられたＧ駆動回路を第２のモードで動作して、静止画像を第２の領域に表示してもよい。
【０１４７】
または、複数のＧ駆動回路の一部を動作させて、他の駆動回路を停止してもよい。これにより、消費電力を低減することができる。
【０１４８】
《２．２．２．２Ｓ駆動回路３２ＳＤ》
Ｓ駆動回路３２ＳＤは、複数の信号線から一の信号線を順番に選択し、選択された信号線にＳ信号を供給する。なお、Ｓ信号は第２の駆動信号ともいう。
【０１４９】
なお、Ｓ信号が供給された信号線は、その信号線に接続された画素３２ＰにＳ信号を供給する。特に、Ｇ信号が供給されている状態の画素３２Ｐにある画素回路３２ＰＣは、Ｓ信号を書き込まれる。
【０１５０】
《２．２．２．３画素部３２Ｄ》
画素部３２Ｄは、図示されていない複数の画素３２Ｐを有する。
【０１５１】
画素３２Ｐは、表示素子３２ＤＶと当該表示素子３２ＤＶを含む画素回路３２ＰＣを備える（図５参照）。
【０１５２】
画素回路３２ＰＣは供給されるＳ信号を保持し、表示素子３２ＤＶに画像情報の一部を表示する。
【０１５３】
なお、利用する表示素子３２ＤＶの種類または駆動方法に応じて選択された構成を、画素回路３２ＰＣに用いることができる。
【０１５４】
《２．２．２．３．１画素回路１》
表示素子３２ＤＶに液晶素子３２ＬＣを利用する場合に選択することができる画素回路３２ＰＣの構成の一例を、図６（Ｂ−１）に示す。
【０１５５】
画素回路３２ＰＣは、Ｇ信号が供給されるゲート電極と、Ｓ信号が供給される第１の電極とを備えるトランジスタ３２Ｔと、トランジスタ３２Ｔの第２の電極に電気的に接続される第１の電極と、共通電位が供給される第２の電極を備える液晶素子３２ＬＣと、を具備する。
【０１５６】
画素回路３２ＰＣは、Ｓ信号の表示素子３２ＤＶへの供給を制御するトランジスタ３２Ｔを有する。
【０１５７】
トランジスタ３２Ｔのゲートは、走査線Ｇ１から走査線Ｇｙのいずれか１つに電気的に接続されている。トランジスタ３２Ｔのソース及びドレインの一方は、信号線Ｓ１から信号線Ｓｘのいずれか１つに電気的に接続され、トランジスタ３２Ｔのソース及びドレインの他方は、表示素子３２ＤＶの第１電極に電気的に接続されている。
【０１５８】
画素３２Ｐはトランジスタ３２ＴをＳ信号の画素３２Ｐへの供給を制御するスイッチング素子として用いることができる。また、複数のトランジスタを一のスイッチング素子として画素３２Ｐに用いてもよい。上記複数のトランジスタを並列に接続して一のスイッチング素子として用いてもよいし、直列に接続して用いても、直列と並列が組み合わされた接続を用いてもよい。
【０１５９】
画素３２Ｐは、必要に応じて液晶素子３２ＬＣの第１電極と第２電極間の電圧を保持するための容量素子３２Ｃの他、トランジスタ、ダイオード、抵抗素子、容量素子、インダクタなどのその他の回路素子を有していても良い。表示素子３２ＤＶの第２電極には、所定の共通電位Ｖｃｏｍが供給されている。
【０１６０】
容量素子３２Ｃの容量は適宜調整すればよい。例えば、Ｓ信号を比較的長い期間（具体的には、１／６０ｓｅｃ以上）保持する場合には、容量素子３２Ｃを設ける。また、容量素子３２Ｃ以外の構成を用いて、画素回路３２ＰＣの容量を調節してもよい。例えば、液晶素子３２ＬＣの第１の電極と第２の電極を重ねて設ける構成により、実質的に容量素子を形成してもよい。
【０１６１】
《２．２．２．３．２画素回路２》
表示素子３２ＤＶにＥＬ（Ｅｌｅｃｔｒｏｌｕｍｉｎｅｓｃｅｎｃｅ）素子、ＥＬ素子３２ＥＬを利用する場合に選択することができる画素回路３２ＰＣの構成の一例を、図６（Ｂ−２）に示す。
【０１６２】
画素回路３２ＰＣＥＬは、Ｇ信号が供給されるゲート電極と、Ｓ信号が供給される第１の電極と、容量素子３２Ｃの第１の電極と電気的に接続される第２の電極と、を有する第１のトランジスタ３２Ｔ１を有する。また、第１のトランジスタ３２Ｔ１の第２の電極に電気的に接続されるゲート電極と、容量素子３２Ｃの第２の電極と電気的に接続される第１の電極と、ＥＬ素子３２ＥＬの第１の電極と電気的に接続される第２の電極と、を有する第２のトランジスタ３２Ｔ２を有する。また、容量素子３２Ｃの第２の電極と、第２のトランジスタ３２Ｔ２の第１の電極には、電源電位が供給され、ＥＬ素子３２ＥＬの第２の電極には、共通電位が供給される。なお、電源電位と共通電位の電位差は、ＥＬ素子３２ＥＬの発光開始電圧よりも大きい。
【０１６３】
《２．２．２．３．３トランジスタ》
画素回路３２ＰＣ１において、トランジスタ３２Ｔは、信号線Ｓの電位を液晶素子３２ＬＣの第１電極に与えるか否かを制御する。また、画素回路３２ＰＣ２において、第１のトランジスタ３２Ｔ１は、信号線Ｓの電位をＥＬ素子３２ＥＬの第１電極に与えるか否かを制御する。
【０１６４】
なお、本発明の一態様の表示装置に好適なトランジスタとして酸化物半導体を用いたトランジスタを適用することができる。酸化物半導体を用いたトランジスタの詳細については、実施の形態３の記載を参酌することができる。
【０１６５】
酸化物半導体膜が適用されたトランジスタは、オフ状態でのソースとドレイン間のリーク電流（オフ電流）を、従来のシリコンを用いたトランジスタと比較して極めて低いものとすることができる。オフ電流が極めて小さいトランジスタを画素部３２Ｄに用いることにより、フリッカーの発生を抑制しつつ、フレーム周波数を下げることができる。
【０１６６】
《２．２．２．３．４表示素子》
表示素子３２ＤＶは液晶素子３２ＬＣ、ＥＬ素子３２ＥＬに限られず、例えば、電気泳動を用いる電子インク、シャッター方式のＭＥＭＳ表示素子、光干渉方式のＭＥＭＳ表示素子など、さまざまな表示素子を適用できる。
【０１６７】
例えば、液晶素子３２ＬＣの偏光の透過率は、Ｓ信号の電位により制御することができ、これにより階調を表示することができる。
【０１６８】
《２．２．３光供給部３２Ｌ》
光供給部３２Ｌは光源を備える。例えば、冷陰極蛍光ランプ、発光ダイオード（ＬＥＤ）、ＥＬ素子などを光源に用いることができる。
【０１６９】
制御部３１は制御信号を供給し、光供給部３２Ｌは制御信号が供給されて、光源が制御される。
【０１７０】
光供給部３２Ｌは、例えば画素部３２Ｄに光を供給することができる。具体的には、光供給部３２Ｌをバックライトに用いることができる。
【０１７１】
例えば、透過型の液晶素子を表示素子３２ＤＶに適用する場合、光供給部３２Ｌを表示部３２に設けことができる。
【０１７２】
なお、例えばＥＬ素子やＬＥＤ等の自発光型の表示素子を用いる場合、または反射型液晶素子または電子インク等の反射型の表示素子を表示素子３２ＤＶに用いる場合は、表示部３２は光供給部３２Ｌを備えていなくてもよい。
【０１７３】
なお、本実施の形態は、本明細書で示す他の実施の形態と適宜組み合わせることができる。
【０１７４】
（実施の形態３）
本実施の形態では、本発明の一態様の情報処理装置に用いることのできるトランジスタの構成について、図７を用いて説明する。
【０１７５】
例えば、実施の形態２で説明する情報処理装置５０に用いることができる。具体的には、表示装置３０が備える表示部３２の画素部に用いることができる。
【０１７６】
図７（Ａ）乃至図７（Ｃ）に、トランジスタ１５１の上面図及び断面図を示す。図７（Ａ）はトランジスタ１５１の上面図であり、図７（Ｂ）は、図７（Ａ）の一点鎖線Ａ−Ｂ間の切断面の断面図に相当し、図７（Ｃ）は、図７（Ａ）の一点鎖線Ｃ−Ｄ間の切断面の断面図に相当する。なお、図７（Ａ）では、明瞭化のため、構成要素の一部を省略して図示している。
【０１７７】
なお、本実施の形態において、第１の電極はトランジスタのソース電極またはドレイン電極の一方を、第２の電極は他方を指すものとする。
【０１７８】
トランジスタ１５１は、基板１０２上に設けられるゲート電極１０４ａと、基板１０２及びゲート電極１０４ａ上に形成される絶縁膜１０６及び絶縁膜１０７を含む第１の絶縁膜１０８と、第１の絶縁膜１０８を介して、ゲート電極１０４ａと重なる酸化物半導体膜１１０と、酸化物半導体膜１１０に接する第１の電極１１２ａ及び第２の電極１１２ｂとを有する。
【０１７９】
また、第１の絶縁膜１０８、酸化物半導体膜１１０、第１の電極１１２ａ及び第２の電極１１２ｂ上に、絶縁膜１１４、１１６、１１８を含む第２の絶縁膜１２０と、第２の絶縁膜１２０上に形成されるゲート電極１２２ｃとを有する。
【０１８０】
ゲート電極１２２ｃは、第１の絶縁膜１０８及び第２の絶縁膜１２０に設けられる開口１４２ｅにおいて、ゲート電極１０４ａと接続する。また、絶縁膜１１８上に画素電極として機能する導電膜１２２ａが形成され、導電膜１２２ａは、第２の絶縁膜１２０に設けられる開口１４２ａにおいて、第２の電極１１２ｂと接続する。
【０１８１】
なお、第１の絶縁膜１０８は、トランジスタ１５１の第１のゲート絶縁膜として機能し、第２の絶縁膜１２０は、トランジスタ１５１の第２のゲート絶縁膜として機能する。また、導電膜１２２ａは、画素電極として機能する。
【０１８２】
本実施の形態に示すトランジスタ１５１は、チャネル幅方向において、ゲート電極１０４ａ及びゲート電極１２２ｃの間に、第１の絶縁膜１０８及び第２の絶縁膜１２０を介して酸化物半導体膜１１０が設けられている。また、ゲート電極１０４ａは図７（Ａ）に示すように、上面形状において、第１の絶縁膜１０８を介して酸化物半導体膜１１０の側面と重なる。
【０１８３】
第１の絶縁膜１０８及び第２の絶縁膜１２０には複数の開口を有する。代表的には、図７（Ｂ）に示すように、第２の電極１１２ｂの一部が露出する開口１４２ａを有する。また、図７（Ｃ）に示すように、開口１４２ｅを有する。
【０１８４】
開口１４２ａにおいて、第２の電極１１２ｂと導電膜１２２ａが接続する。
【０１８５】
また、開口１４２ｅにおいて、ゲート電極１０４ａ及びゲート電極１２２ｃが接続する。
【０１８６】
ゲート電極１０４ａ及びゲート電極１２２ｃを有し、且つゲート電極１０４ａ及びゲート電極１２２ｃを同電位とすることで、キャリアが酸化物半導体膜１１０の広い範囲を流れる。これにより、トランジスタ１５１を移動するキャリアの量が増加する。
【０１８７】
この結果、トランジスタ１５１のオン電流が大きくなる共に、電界効果移動度が高くなり、代表的には電界効果移動度が１０ｃｍ２／Ｖ・ｓ以上、さらには２０ｃｍ２／Ｖ・ｓ以上となる。なお、ここでの電界効果移動度は、酸化物半導体膜の物性値としての移動度の近似値ではなく、トランジスタの飽和領域における電流駆動力の指標であり、見かけ上の電界効果移動度である。
【０１８８】
なお、トランジスタのチャネル長（Ｌ長ともいう。）を０．５μｍ以上６．５μｍ以下、好ましくは１μｍより大きく６μｍ未満、より好ましくは１μｍより大きく４μｍ以下、より好ましくは１μｍより大きく３．５μｍ以下、より好ましくは１μｍより大きく２．５μｍ以下とすることで、電界効果移動度の増加が顕著である。また、チャネル長が０．５μｍ以上６．５μｍ以下のように小さいことで、チャネル幅も小さくすることが可能である。
【０１８９】
また、ゲート電極１０４ａ及びゲート電極１２２ｃを有することで、それぞれが外部からの電界を遮蔽する機能を有するため、基板１０２及びゲート電極１０４ａの間、ゲート電極１２２ｃ上に設けられる荷電粒子等の電荷が、酸化物半導体膜１１０に影響しない。この結果、ストレス試験（例えば、ゲート電極にマイナスの電位を印加する−ＧＢＴ（Ｇａｔｅ  Ｂｉａｓ−Ｔｅｍｐｅｒａｔｕｒｅ）ストレス試験）の劣化が抑制されると共に、異なるドレイン電圧におけるオン電流の立ち上がり電圧の変動を抑制することができる。
【０１９０】
なお、ＢＴストレス試験は加速試験の一種であり、長期間の使用によって起こるトランジスタの特性変化（即ち、経年変化）を、短時間で評価することができる。特に、ＢＴストレス試験前後におけるトランジスタのしきい値電圧の変動量は、信頼性を調べるための重要な指標となる。ＢＴストレス試験前後において、しきい値電圧の変動量が少ないほど、信頼性が高いトランジスタであるといえる。
【０１９１】
以下に、基板１０２およびトランジスタ１５１を構成する個々の要素について説明する。
【０１９２】
《基板１０２》
基板１０２としては、アルミノシリケートガラス、アルミノホウケイ酸ガラス、バリウムホウケイ酸ガラスなどのガラス材料を用いる。量産する上では、基板１０２は、第８世代（２１６０ｍｍ×２４６０ｍｍ）、第９世代（２４００ｍｍ×２８００ｍｍ、または２４５０ｍｍ×３０５０ｍｍ）、第１０世代（２９５０ｍｍ×３４００ｍｍ）等のマザーガラスを用いることが好ましい。マザーガラスは、処理温度が高く、処理時間が長いと大幅に収縮するため、マザーガラスを使用して量産を行う場合、作製工程の加熱処理は、好ましくは６００℃以下、さらに好ましくは４５０℃以下、さらに好ましくは３５０℃以下とすることが望ましい。
【０１９３】
《ゲート電極１０４ａ》
ゲート電極１０４ａに用いる材料としては、アルミニウム、クロム、銅、タンタル、チタン、モリブデン、タングステンから選ばれた金属元素、または上述した金属元素を成分とする合金か、上述した金属元素を組み合わせた合金等を用いて形成することができる。また、ゲート電極１０４ａに用いる材料は、単層構造でも、二層以上の積層構造としてもよい。例えば、アルミニウム膜上にチタン膜を積層する二層構造、窒化チタン膜上にチタン膜を積層する二層構造、窒化チタン膜上にタングステン膜を積層する二層構造、窒化タンタル膜または窒化タングステン膜上にタングステン膜を積層する二層構造、チタン膜と、そのチタン膜上にアルミニウム膜を積層し、さらにその上にチタン膜を形成する三層構造等がある。また、アルミニウムに、チタン、タンタル、タングステン、モリブデン、クロム、ネオジム、スカンジウムから選ばれた元素の膜、または複数組み合わせた合金膜、もしくは窒化膜を用いてもよい。また、ゲート電極１０４ａに用いる材料としては、例えば、スパッタリング法を用いて形成することができる。
【０１９４】
《第１の絶縁膜１０８》
第１の絶縁膜１０８は、絶縁膜１０６と絶縁膜１０７の２層の積層構造を例示している。なお、第１の絶縁膜１０８の構造はこれに限定されず、例えば、単層構造または３層以上の積層構造としてもよい。
【０１９５】
絶縁膜１０６としては、例えば、窒化酸化シリコン膜、窒化シリコン膜、酸化アルミニウム膜などを用いればよく、ＰＥ−ＣＶＤ装置を用いて積層または単層で設ける。また、絶縁膜１０６を積層構造とした場合、第１の窒化シリコン膜として、欠陥が少ない窒化シリコン膜とし、第１の窒化シリコン膜上に、第２の窒化シリコン膜として、水素放出量及びアンモニア放出量の少ない窒化シリコン膜を設けると好適である。この結果、絶縁膜１０６に含まれる水素及び窒素が、後に形成される酸化物半導体膜１１０へ移動または拡散することを抑制できる。
【０１９６】
絶縁膜１０７としては、酸化シリコン膜、酸化窒化シリコン膜などを用いればよく、ＰＥ−ＣＶＤ装置を用いて積層または単層で設ける。
【０１９７】
また、第１の絶縁膜１０８としては、絶縁膜１０６として、例えば、厚さ４００ｎｍの窒化シリコン膜を形成し、その後、絶縁膜１０７として、厚さ５０ｎｍの酸化窒化シリコン膜を形成する積層構造を用いることができる。該窒化シリコン膜と、該酸化窒化シリコン膜は、真空中で連続して形成すると不純物の混入が抑制され好ましい。なお、ゲート電極１０４ａと重畳する位置の第１の絶縁膜１０８は、トランジスタ１５１のゲート絶縁膜として機能する。また、窒化酸化シリコンとは、窒素の含有量が酸素の含有量より大きい絶縁材料であり、他方、酸化窒化シリコンとは、酸素の含有量が窒素の含有量より大きな絶縁材料のことをいう。
【０１９８】
《酸化物半導体膜１１０》
酸化物半導体膜１１０は、酸化物半導体を用いると好ましく、該酸化物半導体としては、少なくともインジウム（Ｉｎ）、亜鉛（Ｚｎ）及びＭ（Ａｌ、Ｇａ、Ｇｅ、Ｙ、Ｚｒ、Ｓｎ、Ｌａ、ＣｅまたはＨｆ等の金属）を含むＩｎ−Ｍ−Ｚｎ酸化物で表記される膜を含むことが好ましい。または、ＩｎとＺｎの双方を含むことが好ましい。また、該酸化物半導体を用いたトランジスタの電気特性のばらつきを減らすため、それらと共に、スタビライザーを含むことが好ましい。
【０１９９】
スタビライザーとしては、ガリウム（Ｇａ）、スズ（Ｓｎ）、ハフニウム（Ｈｆ）、アルミニウム（Ａｌ）、またはジルコニウム（Ｚｒ）等がある。また、他のスタビライザーとしては、ランタノイドである、ランタン（Ｌａ）、セリウム（Ｃｅ）、プラセオジム（Ｐｒ）、ネオジム（Ｎｄ）、サマリウム（Ｓｍ）、ユウロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）、ルテチウム（Ｌｕ）等がある。
【０２００】
酸化物半導体膜１１０を構成する酸化物半導体として、例えば、Ｉｎ−Ｇａ−Ｚｎ系酸化物、Ｉｎ−Ａｌ−Ｚｎ系酸化物、Ｉｎ−Ｓｎ−Ｚｎ系酸化物、Ｉｎ−Ｈｆ−Ｚｎ系酸化物、Ｉｎ−Ｌａ−Ｚｎ系酸化物、Ｉｎ−Ｃｅ−Ｚｎ系酸化物、Ｉｎ−Ｐｒ−Ｚｎ系酸化物、Ｉｎ−Ｎｄ−Ｚｎ系酸化物、Ｉｎ−Ｓｍ−Ｚｎ系酸化物、Ｉｎ−Ｅｕ−Ｚｎ系酸化物、Ｉｎ−Ｇｄ−Ｚｎ系酸化物、Ｉｎ−Ｔｂ−Ｚｎ系酸化物、Ｉｎ−Ｄｙ−Ｚｎ系酸化物、Ｉｎ−Ｈｏ−Ｚｎ系酸化物、Ｉｎ−Ｅｒ−Ｚｎ系酸化物、Ｉｎ−Ｔｍ−Ｚｎ系酸化物、Ｉｎ−Ｙｂ−Ｚｎ系酸化物、Ｉｎ−Ｌｕ−Ｚｎ系酸化物、Ｉｎ−Ｓｎ−Ｇａ−Ｚｎ系酸化物、Ｉｎ−Ｈｆ−Ｇａ−Ｚｎ系酸化物、Ｉｎ−Ａｌ−Ｇａ−Ｚｎ系酸化物、Ｉｎ−Ｓｎ−Ａｌ−Ｚｎ系酸化物、Ｉｎ−Ｓｎ−Ｈｆ−Ｚｎ系酸化物、Ｉｎ−Ｈｆ−Ａｌ−Ｚｎ系酸化物を用いることができる。
【０２０１】
なお、ここで、Ｉｎ−Ｇａ−Ｚｎ系酸化物とは、ＩｎとＧａとＺｎを主成分として有する酸化物という意味であり、ＩｎとＧａとＺｎの比率は問わない。また、ＩｎとＧａとＺｎ以外の金属元素が入っていてもよい。
【０２０２】
酸化物半導体膜１１０の成膜方法は、スパッタリング法、ＭＢＥ（Ｍｏｌｅｃｕｌａｒ  Ｂｅａｍ  Ｅｐｉｔａｘｙ）法、ＣＶＤ法、パルスレーザ堆積法、ＡＬＤ（Ａｔｏｍｉｃ  Ｌａｙｅｒ  Ｄｅｐｏｓｉｔｉｏｎ）法等を適宜用いることができる。とくに、酸化物半導体膜１１０を成膜する際、スパッタリング法を用いると緻密な膜が形成されるため、好適である。
【０２０３】
酸化物半導体膜１１０として、酸化物半導体膜を成膜する際、できる限り膜中に含まれる水素濃度を低減させることが好ましい。水素濃度を低減させるには、例えば、スパッタリング法を用いて成膜を行う場合には、成膜室内を高真空排気するのみならずスパッタガスの高純度化も必要である。スパッタガスとして用いる酸素ガスやアルゴンガスは、露点が−４０℃以下、好ましくは−８０℃以下、より好ましくは−１００℃以下、より好ましくは−１２０℃以下にまで高純度化したガスを用いることで酸化物半導体膜に水分等が取り込まれることを可能な限り防ぐことができる。
【０２０４】
また、成膜室内の残留水分を除去するためには、吸着型の真空ポンプ、例えば、クライオポンプ、イオンポンプ、チタンサブリメーションポンプを用いることが好ましい。また、ターボ分子ポンプにコールドトラップを加えたものであってもよい。クライオポンプを用いて排気した成膜室は、例えば、水素分子、水（Ｈ２Ｏ）など水素原子を含む化合物（より好ましくは炭素原子を含む化合物も）等の排気能力が高いため、当該成膜室で成膜した膜中に含まれる不純物の濃度を低減できる。
【０２０５】
また、酸化物半導体膜１１０として、酸化物半導体膜をスパッタリング法で成膜する場合、成膜に用いる金属酸化物ターゲットの相対密度（充填率）は９０％以上１００％以下、好ましくは９５％以上１００％以下とする。相対密度の高い金属酸化物ターゲットを用いることにより、成膜される膜を緻密な膜とすることができる。
【０２０６】
なお、基板１０２を高温に保持した状態で酸化物半導体膜１１０として、酸化物半導体膜を形成することも、酸化物半導体膜中に含まれうる不純物濃度を低減するのに有効である。基板１０２を加熱する温度としては、１５０℃以上４５０℃以下とすればよく、好ましくは基板温度が２００℃以上３５０℃以下とすればよい。
【０２０７】
次に、第１の加熱処理を行うこがと好ましい。第１の加熱処理は、２５０℃以上６５０℃以下、好ましくは３００℃以上５００℃以下の温度で、不活性ガス雰囲気、酸化性ガスを１０ｐｐｍ以上含む雰囲気、または減圧状態で行えばよい。また、第１の加熱処理の雰囲気は、不活性ガス雰囲気で加熱処理した後に、脱離した酸素を補うために酸化性ガスを１０ｐｐｍ以上含む雰囲気で行ってもよい。第１の加熱処理によって、酸化物半導体膜１１０に用いる酸化物半導体の結晶性を高め、さらに第１の絶縁膜１０８及び酸化物半導体膜１１０から水素や水などの不純物を除去することができる。なお、酸化物半導体膜１１０を島状に加工する前に第１の加熱工程を行ってもよい。
【０２０８】
《第１の電極、第２の電極》
第１の電極１１２ａおよび第２の電極１１２ｂに用いることのできる導電膜１１２の材料としては、アルミニウム、チタン、クロム、ニッケル、銅、イットリウム、ジルコニウム、モリブデン、銀、タンタル、またはタングステンからなる単体金属、またはこれを主成分とする合金を単層構造または積層構造として用いることができる。とくに、アルミニウム、クロム、銅、タンタル、チタン、モリブデン、タングステンの中から選択される一以上の元素を含むと好ましい。例えば、アルミニウム膜上にチタン膜を積層する二層構造、タングステン膜上にチタン膜を積層する二層構造、銅−マグネシウム−アルミニウム合金膜上に銅膜を積層する二層構造、チタン膜または窒化チタン膜と、そのチタン膜または窒化チタン膜上に重ねてアルミニウム膜または銅膜を積層し、さらにその上にチタン膜または窒化チタン膜を形成する三層構造、モリブデン膜または窒化モリブデン膜と、そのモリブデン膜または窒化モリブデン膜上に重ねてアルミニウム膜または銅膜を積層し、さらにその上にモリブデン膜または窒化モリブデン膜を形成する三層構造等がある。なお、酸化インジウム、酸化錫または酸化亜鉛を含む透明導電材料を用いてもよい。また、導電膜は、例えば、スパッタリング法を用いて形成することができる。
【０２０９】
《絶縁膜１１４、１１６》
第２の絶縁膜１２０は、絶縁膜１１４、１１６、１１８の３層の積層構造を例示している。なお、第２の絶縁膜１２０の構造はこれに限定されず、例えば、単層構造、２層の積層構造、または４層以上の積層構造としてもよい。
【０２１０】
絶縁膜１１４、１１６としては、酸化物半導体膜１１０として用いる酸化物半導体との界面特性を向上させるため、酸素を含む無機絶縁材料を用いることができる。酸素を含む無機絶縁材料としては、例えば酸化シリコン膜、または酸化窒化シリコン膜等が挙げられる。また、絶縁膜１１４、１１６としては、例えば、ＰＥ−ＣＶＤ法を用いて形成することができる。
【０２１１】
絶縁膜１１４の厚さは、５ｎｍ以上１５０ｎｍ以下、好ましくは５ｎｍ以上５０ｎｍ以下、好ましくは１０ｎｍ以上３０ｎｍ以下とすることができる。絶縁膜１１６の厚さは、３０ｎｍ以上５００ｎｍ以下、好ましくは１５０ｎｍ以上４００ｎｍ以下とすることができる。
【０２１２】
また、絶縁膜１１４、１１６は、同種の材料の絶縁膜を用いることができるため、絶縁膜１１４と絶縁膜１１６の界面が明確に確認できない場合がある。したがって、本実施の形態においては、絶縁膜１１４と絶縁膜１１６の界面は、破線で図示している。なお、本実施の形態においては、絶縁膜１１４と絶縁膜１１６の２層構造について、説明したが、これに限定されず、例えば、絶縁膜１１４の単層構造、絶縁膜１１６の単層構造、または３層以上の積層構造としてもよい。
【０２１３】
絶縁膜１１８は、外部からの不純物、例えば、水、アルカリ金属、アルカリ土類金属等が、酸化物半導体膜１１０へ拡散するのを防ぐ材料で形成される膜であり、更には水素を含む。
【０２１４】
絶縁膜１１８の一例としては、厚さ１５０ｎｍ以上４００ｎｍ以下の窒化シリコン膜、窒化酸化シリコン膜等を用いることができる。本実施の形態においては、絶縁膜１１８として、厚さ１５０ｎｍの窒化シリコン膜を用いる。
【０２１５】
また、上記窒化シリコン膜は、不純物等からのブロック性を高めるために、高温で成膜されることが好ましく、例えば基板温度１００℃以上基板の歪み点以下、より好ましくは３００℃以上４００℃以下の温度で加熱して成膜することが好ましい。また高温で成膜する場合は、酸化物半導体膜１１０として用いる酸化物半導体から酸素が脱離し、キャリア濃度が上昇する現象が発生することがあるため、このような現象が発生しない温度とする。
【０２１６】
《導電膜１２２ａ、ゲート電極１２２ｃ》
導電膜１２２ａ、ゲート電極１２２ｃに用いることのできる導電膜としては、インジウムを含む酸化物を用いればよい。例えば、酸化タングステンを含むインジウム酸化物、酸化タングステンを含むインジウム亜鉛酸化物、酸化チタンを含むインジウム酸化物、酸化チタンを含むインジウム錫酸化物、インジウム錫酸化物（以下、ＩＴＯと示す。）、インジウム亜鉛酸化物、酸化ケイ素を添加したインジウム錫酸化物などの透光性を有する導電性材料を用いることができる。また、導電膜１２２ａ、１２２ｂに用いることのできる導電膜としては、例えば、スパッタリング法を用いて形成することができる。
【０２１７】
なお、本実施の形態に示す構成及び方法などは、他の実施の形態に示す構成及び方法などと適宜組み合わせて用いることができる。
【０２１８】
（実施の形態４）
本実施の形態では、本発明の一態様の電子機器の構成について、図８を参照しながら説明する。
【０２１９】
図８は本発明の一態様の電子機器の構成を説明する図である。
【０２２０】
図８（Ａ）は本発明の一態様のテレビジョンシステムの外観図である。
【０２２１】
図８（Ｂ）は本発明の一態様の情報処理装置の外観図である。
【０２２２】
図８（Ｃ）は本発明の一態様の携帯電話の外観図である。
【０２２３】
図８（Ｄ）は本発明の一態様の情報処理装置の外観図である。
【０２２４】
＜電子機器＞
本実施の形態で例示する電子機器は、いずれも所定のアプリケーションのウィンドウの可視領域を決定するステップ（Ｔ６）と、可視領域に表示する画像データを画像処理してマスク表示領域を決定するステップ（Ｔ７）と、マスク表示領域と重なるマスク画像を生成するステップ（Ｔ９）と、マスク画像を最も手前に表示するステップ（Ｓ４）と、を有する処理を演算装置に実行させるプログラムを記憶する記憶部を有する。
【０２２５】
これにより、所定のアプリケーションの、例えば文書表示領域に、例えば紙の模様を具備するテクスチャ画像を、重ねて表示することができる。
【０２２６】
《テレビジョンシステム》
テレビジョンシステムは、操作命令を供給されるテレビジョン装置７１００と操作命令を供給するコントローラ７１０９を有する。
【０２２７】
テレビジョン装置７１００は、演算装置と入出力装置と筐体７１０１とを有する。
【０２２８】
入出力装置は、画像情報が供給され画像情報を表示する表示部７１０３を含む。
【０２２９】
演算装置は、操作命令を供給され画像情報を供給する。
【０２３０】
筐体７１０１は、表示部７１０３および演算装置を収納する。
【０２３１】
コントローラ７１０９は、使用者が操作命令を選択することができる操作部４１１０と、操作に係る情報を表示する表示部７１０７を有する。コントローラ７１０９は、操作命令を赤外線や電波を用いて無線または有線で供給できる。
【０２３２】
《情報処理装置》
情報処理装置７２００は、演算装置と入出力装置と筐体７２０１とを有する。
【０２３３】
入出力装置は、画像情報を供給され画像情報を表示する表示部７２０３と、操作命令を供給する操作部と、を有する。
【０２３４】
演算装置は、画像情報を供給し操作命令を供給される。
【０２３５】
外部機器接続部７２０５は、情報を供給し、外部から情報を供給される。
【０２３６】
筐体７２０２は、表示部７２０３を収納し、筐体７２０１は演算装置を収納する。
【０２３７】
操作部は、例えばキーボード７２０４、タッチセンサ７２０６等を備える。
【０２３８】
《携帯電話》
携帯電話７４００は、演算装置と入出力装置と筐体７４０１とを有する。
【０２３９】
入出力装置は、画像情報が供給される表示部と操作命令を供給するタッチセンサを兼ねるタッチパネル７４０３と、音声信号が供給され音声を供給するスピーカ７４０５と、音声が供給され音声信号を供給するマイクロフォン７４０６と、操作スイッチ７４０２と、を有する。
【０２４０】
演算装置は、画像情報および音声信号を供給し且つ操作命令が供給される。
【０２４１】
筐体７４０１は、演算装置と入出力装置等を収納する。
【０２４２】
《情報処理装置》
情報処理装置７４５０は、演算装置と入出力装置と筐体７４０１とを有する。
【０２４３】
入出力装置は、画像情報が供給される表示部と操作命令を供給するタッチセンサを兼ねるタッチパネル７４５３と、音声信号が供給され音声を供給するスピーカ７４５５Ｌおよび７４５５Ｒと、音声が供給され音声信号を供給するマイクロフォン７４５６と、操作スイッチ７４５２と、を有する。
【０２４４】
演算装置は、画像情報および音声信号を供給し且つ操作命令が供給される。
【０２４５】
筐体７４０１は、演算装置と入出力装置等を収納する。
【０２４６】
なお、本実施の形態は、本明細書で示す他の実施の形態と適宜組み合わせることができる。
【符号の説明】
【０２４７】
１０    演算装置
１１    演算部
１２    記憶部
１４    伝送路
１５    入出力インターフェース
２０    入出力装置
２２    入力装置
３０    表示装置
３１    制御部
３２    表示部
３２Ｃ    容量素子
３２Ｄ    画素部
３２Ｄａ    領域
３２Ｄｂ    領域
３２Ｄｃ    領域
３２ＤＶ    表示素子
３２ＥＬ    ＥＬ素子
３２ＳＤ    Ｓ駆動回路
３２ＧＤ    Ｇ駆動回路
３２Ｌ    光供給部
３２ＬＣ    液晶素子
３２Ｐ    画素
３２ＰＣ    画素回路
３２ＰＣ１    画素回路
３２ＰＣ２    画素回路
３２ＰＣＥＬ    画素回路
３２Ｔ    トランジスタ
３２Ｔ１    トランジスタ
３２Ｔ２    トランジスタ
５０    情報処理装置
１０２    基板
１０４ａ    ゲート電極
１０６    絶縁膜
１０７    絶縁膜
１０８    絶縁膜
１１０    酸化物半導体膜
１１２    導電膜
１１２ａ    電極
１１２ｂ    電極
１１４    絶縁膜
１１６    絶縁膜
１１８    絶縁膜
１２０    絶縁膜
１２２ａ    導電膜
１２２ｂ    導電膜
１２２ｃ    ゲート電極
１４２ａ    開口
１４２ｅ    開口
１５１    トランジスタ
４１１０    操作部
７１００    テレビジョン装置
７１０１    筐体
７１０３    表示部
７１０７    表示部
７１０９    コントローラ
７２００    情報処理装置
７２０１    筐体
７２０２    筐体
７２０３    表示部
７２０４    キーボード
７２０５    外部機器接続部
７２０６    タッチセンサ
７４００    携帯電話
７４０１    筐体
７４０２    操作スイッチ
７４０３    タッチパネル
７４０５    スピーカ
７４０６    マイクロフォン
７４５０    情報処理装置
７４５２    操作スイッチ
７４５３    タッチパネル
７４５５Ｌ    スピーカ
７４５６    マイクロフォン
ＭＡＳＫ１    マスク表示領域
ＭＡＳＫ２    マスク表示領域
ＭＡＳＫ５    マスク表示領域
ＶＩＳ１    可視領域
ＶＩＳ２    可視領域
ＶＩＳ５    可視領域
【図１】
2015129873.tif 000003
【図２】
2015129873.tif 000004
【図３】
2015129873.tif 000005
【図４】
2015129873.tif 000006
【図５】
2015129873.tif 000007
【図６】
2015129873.tif 000008
【図７】
2015129873.tif 000009
【図８】
2015129873.tif 000010